(57)【要約】      （修正有）【課題】防犯性に優れ、２４時間の屋内の換気が可能であり、かつ製造や設置の費用を低くすることが可能な窓設備を提供する。【解決手段】窓設備１は、枠体部２と、枠体部に連なり枠体部の枠内の少なくとも２／３以上の面積を覆う板状の防犯用覆部３を備えている。枠体部を建物の壁の開口部に取り付けた状態において、枠体部は屋内に位置し、防犯用覆部は建物の外壁面よりも外側に張出して位置する。防犯用覆部の先端と前記開口部の開口面若しくは外壁面との間に空気出入口３ａがある。空気出入口の幅は１５センチメートル以下である。【選択図】図１
0003218597.tif 000002
【実用新案登録請求の範囲】
【請求項１】
枠体部と、該枠体部に連なり該枠体部の枠内の少なくとも２／３以上の面積を覆う板状の防犯用覆部を備え、
前記枠体部を建物の壁の開口部に取り付けた状態において、該枠体部は屋内に位置し、前記防犯用覆部は建物の外壁面よりも外側に位置し、さらに、該防犯用覆部の先端と前記開口部の開口面若しくは該外壁面との間に、空気の出入れが可能な空気出入口が設けられ、該空気出入口の幅が１５センチメートル以下となるように構成される、窓設備。
【請求項２】
前記空気出入口の最大幅を１とした場合に、該空気出入口の最大高さが８以上となり、
前記枠体部の枠の最大幅を１とした場合に、該枠体部の枠の最大高さが２．５以上となる、請求項１に記載の窓設備。
【請求項３】
前記枠体部の枠内に網目が設けられている、請求項１または請求項２に記載の窓設備。
【考案の詳細な説明】
【技術分野】
【０００１】
本考案は、窓設備に関する。
【背景技術】
【０００２】
従来、防犯性と２４時間の屋内の換気を可能にした避暑窓がある（特許文献１）。
【先行技術文献】
【特許文献】
【０００３】
【特許文献１】実開平７−１６８８７号公報
【考案の概要】
【考案が解決しようとする課題】
【０００４】
特許文献１に示す避暑窓では、従来の窓に別個に取り付け、さらに避暑窓収納用枠体部３を要する複雑な構成であるため、製造や設置の費用が高くなるという問題がある。
【０００５】
本考案の目的は、防犯性に優れ、２４時間の屋内の換気が可能であり、かつ製造や設置の費用を低くすることが可能な窓設備を提供することである。
【課題を解決するための手段】
【０００６】
上記目的は、枠体部（２）と、該枠体部に連なり該枠体部の枠の前面の少なくとも２／３以上の面積を覆う板状の防犯用覆部（３）を備え、
前記枠体部（２）を建物の壁の開口部に取り付けた状態において、該枠体部は屋内に位置し、前記防犯用覆部（３）は建物の外壁面よりも外側に張出して位置し、さらに、該防犯用覆部の先端と前記開口部の開口面若しくは該外壁面との間に隙間（３ａ）があり、該隙間の幅が１５センチメートル以下となるように構成される、窓設備（１、１０）、によって達成される。
【０００７】
上記目的は、前記隙間（３ａ）の最大幅を１とした場合に、該隙間の最大高さが８以上となり、前記枠体部（２）の最大幅を１とした場合に、該枠体部の最大高さが３以上となる、請求項１に記載の窓設備（１、１０）、によって達成される。
【０００８】
上記目的は、前記枠体部（２）の枠内に網目（２ａ）が設けられている、請求項１または請求項２に記載の換気設備（１、１０）、によって達成される。
【考案の効果】
【０００９】
本考案によれば、防犯性に優れ、２４時間の屋内の換気が可能であり、かつ製造や設置の費用を低くすることが可能な窓設備を提供することができる。
【図面の簡単な説明】
【００１０】
【図１】本考案の第１の実施の形態による窓設備１の外観斜視図である。
【図２】本考案の第１の実施の形態による窓設備１の外観図であり、図２（ａ）は、窓設備１の正面図であり、図２（ｂ）は、窓設備１の背面図である。
【図３】本考案の第１の実施の形態による窓設備１の外観図であり、図３（ａ）は、窓設備１の右側面図であり、図３（ｂ）は、窓設備１の左側面図である。
【図４】本考案の第１の実施の形態による窓設備１の外観図と断面図であり、図４（ａ）は、窓設備１の平面図であり、図４（ｂ）は、窓設備１のＡ−Ａ断面図である。
【図５】本考案の第１の実施の形態による窓設備１を建物の壁に取り付けた状態の断面図である。
【図６】本考案の第１の実施の形態による窓設備１を建物の壁に取り付けた状態の空気出入口３ａの大きさを説明する図である。
【図７】本考案の第１の実施の形態による窓設備１にガラス２ｂを設けた状態を説明する図である。
【図８】本考案の第１の実施の形態による窓設備１にガラス２ｂ１、２ｂ２を設けた状態を説明する図である。
【図９】本考案の第２の実施の形態による窓設備１０を建物の壁に取りに付けた状態を説明する図である。
【図１０】本考案の第２の実施の形態による窓設備１０の変形例を建物の壁に取りに付けた状態を説明する図である。
【図１１】本考案の第１の実施の形態による窓設備１を建物の壁に取りに付けた状態を説明する図である。
【考案を実施するための形態】
【００１１】
本考案の第１の実施の形態による窓設備１について、図１乃至図８を用いて説明する。なお、以下の全ての図面においては、理解を容易にするため、各構成要素の寸法や比率などは適宜異ならせて図示する場合がある。
【００１２】
図１は、窓設備１を右斜め上から見た外観斜視図である。窓設備１は、薄板状の枠体部２と薄板状の防犯用覆部３を有している。枠体部２は、長方形の枠を有し、この枠内には網目２ａが設けられる。防犯用覆部３を枠体部２の１辺にねじ止め等で取り付けることで、防犯用覆部３と枠体部２の他の１辺で屋外の空気を屋内に取り込むための空気出入口３ａが形成される。また、防犯用覆部３は、枠体部２の１辺にねじ止め等で取り付ける構成であるが、枠体部２と一体形成される場合があってもよい。枠体部２は、ステンレス、アルミニウム等の金属（合金も含む）で構成されてもよいし、木材等の金属以外の材質で構成されてもよい。
【００１３】
図２〜図４（ａ）は、窓設備１の外観図である。図２（ａ）は、窓設備１の正面図であり、図２（ｂ）は、窓設備１の背面図である。図３（ａ）は、窓設備１の右側面図であり、図３（ｂ）は、窓設備１の左側面図である。図４（ａ）は、窓設備１の平面図である。図４（ｂ）は、図２（ａ）のＡ−Ａ断面図である。なお、窓設備１の底面図は、平面図と同じに表せるため省略する。
【００１４】
図２（ａ）に示すように、枠体部２の枠には、ねじ穴が４個空けられている。このねじ穴を用いて、窓設備１を壁や柱等に設置する。本実施の形態による窓設備１の枠体部２の枠の大きさは、幅を１とした場合に高さが３である。幅を小さくすることで防犯性が高まり、高さを高くすることで屋内に取り込む空気の量を大きくすることができる。このため、窓設備１の枠体部２の枠の大きさの幅を１とした場合に高さが２．５以上であればよいが、枠体部２の枠の大きさの幅を１とした場合に高さが３以上であれば更によい。また、図２〜図４に示すように、防犯用覆部３は、正面、右側面が開放され、上面、底面、左側面、及び背面に壁面を有し閉じられる構造である。
【００１５】
図５は、建物の壁１００の開口部に窓設備１を取り付けた状態を水平方向に切断した場合の断面図を示している。図中に示す矢印は、屋外の空気が屋内に流入した場合の空気の流れをわかりやすく示している。
【００１６】
図５に示すように、本実施の形態による窓設備１では、防犯用覆部３と壁面１００との間に隙間を生じさせているため、この隙間から屋内に自然風が流入することになる。窓設備１は、建物の壁面１００に対して平行に流れている自然風を取り込みやすい構造を有している。このため、建物と建物の間が狭い場合において、特に有用である。
【００１７】
防犯用覆部３は、枠体部２の枠内の１／２以上の面積を覆う構成であればよいが、好ましくは、枠体部２の枠内の２／３以上の面積を覆う構成がよい。覆う面積を広くすることで、防犯性を高めることができる。また、好ましくは、防犯用覆部３は、枠体部２の枠内の２／３〜４／５の面積を覆う構成であってもよい。
【００１８】
図６を用いて、本実施の形態による窓設備１を説明する。図６は、窓設備１を建物の壁１００に取り付けた状態の空気出入口３ａを側面から見た概略図である。図中に示すｄ１は、壁面（外側）と防犯用覆部３との隙間の幅を示し、図中に示すｄ２
は、壁面（外側）と防犯用覆部３との隙間の高さを示している。防犯性を考慮すると、ｄ１は、１５ｃｍ以下であればよいが、好ましくは、成人の腕がはいらない程度の大きさ（例えば、７ｃｍ〜９ｃｍ）であればよい。また、ｄ２を大きくすることで、屋内に取り込む空気の量を多くすることができる。
【００１９】
図７は、本実施の形態による窓設備１にガラス２ｂを設けた状態を示している。図７（ａ）は、窓設備１にガラス２ｂを設けた状態の正面図であり、図７（ｂ）は、窓設備１にガラス２ｂを設けた状態の平面図である。ガラス２ｂは、固定用ネジ等を用いて、屋内の換気を必要としない場合に開口部を塞ぐこともできる。なお、ガラス２ｂに代えて、透明プラスチックや半透明プラスチックや不透明プラスチックを用いてもよいし、鏡を用いてもよい。
【００２０】
図８は、図７に示した窓設備１の変形例である。窓設備１の上下端にスライド機構を設けることで、ガラス２ｂ１とガラス２ｂ２のスライド開閉を可能にしている。なお、本変形例でもガラス２ｂ１、２ｂ２に代えて、透明プラスチックや半透明プラスチックや不透明プラスチックを用いてもよいし、鏡を用いてもよい。
【００２１】
本考案の第２の実施の形態による窓設備１０について、図９を用いて説明する。なお、第１の実施形態による窓設備１と同じ構成については符号を同一にすることでその説明を省略する場合がある。
【００２２】
図９は、建物の壁１００の開口部に窓設備１０を取り付けた状態を水平方向に切断した場合の断面図を示している。本実施の形態による窓設備１０は、窓設備１と異なり、左右に屋外の空気を屋内に取り込むための空気出入口３ａ１、３ａ２を有している。また、窓設備１０は、平板状の遮風板３ｂを有している。図９（ａ）に示すように、平板状の遮風板３ｂを防犯用覆部３に回転可能に取り付ける。図９（ｂ）は、空気出入口３ａ２から自然風（図中では矢印で示す）が流入した場合の遮風板３ｂの動作を示している。遮風板３ｂが回転することで、空気出入口３ａ１への空気の経路が遮断されるため、屋内に屋外の空気を効率的に取り込むことが可能である。
【００２３】
本考案の第２の実施の形態による窓設備１０の変形例について、図１０を用いて説明する。なお、第１の実施形態による窓設備１及び上述の第２の実施の形態による窓設備１０と同じ構成については符号を同一にすることでその説明を省略する場合がある。
【００２４】
図１０は、建物の壁１００の開口部に本変形例の窓設備１０を取り付けた状態を水平方向に切断した場合の断面図を示している。本変形例の窓設備１０は、図９に示す窓設備１０と異なり、空気出入口３ａ１、３ａ２から進入してくる空気を屋内に導くためのガイド３ｃ１、３ｃ２を有する点である。また、遮風板３ｂの長さは図９に示す遮風板３ｂの長さの略半分であり、空気出入口３ａ１（または空気出入口３ａ２）より進入した空気が直接的に空気出入口３ａ２（または空気出入口３ａ１）より排気されないようにしている。また、本変形例の窓設備１０の枠体部２は、壁１００の開口部に嵌めこむための枠状の固定枠２ｂｃを有している。この様に、本変形例の窓設備１０では、空気を屋内に導くためのガイドを備えているため、屋内に屋外の空気を効率的に取り込むことが可能である。
【００２５】
本考案の第１の実施の形態による窓設備１の変形例について、図１１を用いて説明する。なお、第１の実施形態による窓設備１及び上述の第２の実施の形態による窓設備１０と同じ構成については符号を同一にすることでその説明を省略する場合がある。
【００２６】
図１１は、建物の壁１００の開口部に本変形例の窓設備１を取り付けた状態を鉛直方向に切断した場合の断面図を示している。本変形例の窓設備１の枠体部２は、壁１００の開口部に嵌め込むための枠状の固定枠２ｂｃを有している。また、本変形例の窓設備１の防犯用覆部３は、固定枠２ｂｃの枠に差し込むための枠状の差込枠３ｂｃを有している。本変形例の窓設備１は、壁１００の開口部の内壁面に枠体部２を固定し、枠体部２の固定枠２ｂｃに防犯用覆部３の差込枠３ｂｃを差し込み、４個のワンタッチ固定用ボルト４で４点止めすることで設けられる。壁１００の厚さに併せてワンタッチ固定用ボルト４のボルト調整を行うことで、様々な厚さの壁にも固定可能となる。また、防犯用覆部３と壁１００の間に雨、風が入らないようにコウキング等で固定する。この様に、本変形例の窓設備１では、壁を切り抜きワンタッチ固定用ボルトで固定するため簡単に建物に取り付けることが可能である。
【００２７】
本考案は、上述の実施の形態に限らず種々の変形が可能である。また、上述の各実施の形態は、本考案の好適な一例であるので、技術的に好ましい種々の限定が付されているが、本考案の範囲は、上述の説明によって不当に限定されるものではない。また、上述の各実施の形態で説明される構成の全てが本考案の必須の構成要件ではない。また、上述の各実施の形態で説明される構成は相互に組み合わせることが可能である。
【産業上の利用可能性】
【００２８】
本考案は、窓設備のみならず、通気口設備や換気口設備においても広く利用可能である。
【符号の説明】
【００２９】
１、１０  窓設備
２  枠体部
２ａ  網目
２ｂ、２ｂ１、２ｂ２  ガラス
２ｂｃ  固定枠
３ｂｃ  差込枠
３  防犯用覆部
３ａ、３ａ１、３ａ２  空気出入口
１００  壁
【図１】
0003218597.tif 000003
【図２】
0003218597.tif 000004
【図３】
0003218597.tif 000005
【図４】
0003218597.tif 000006
【図５】
0003218597.tif 000007
【図６】
0003218597.tif 000008
【図７】
0003218597.tif 000009
【図８】
0003218597.tif 000010
【図９】
0003218597.tif 000011
【図１０】
0003218597.tif 000012
【図１１】
0003218597.tif 000013